(57)【要約】【課題】回線品質に対して常に適切な変調符号化方式を用いてパケットを送信し、無線通信システムのスループットを向上させること。【解決手段】無線受信部１０４は、通信端末装置から送信された回線品質情報を含む無線送信信号を受信アンテナ１０２を介して受信し、所定の無線受信処理を行う。復調部１０６は、無線受信処理された無線送信信号を復調し、回線品質情報を抽出する。設定部は、回線品質情報蓄積部１０８、判定部１１０およびＭＣＳ決定部１１２から構成され、受信された複数の回線品質情報に基づいて変調符号化方式を設定する。適応変調部１１４は、設定された変調符号化方式を用いて、通信端末装置へ送信すべき送信データに対して所定の適応変調処理を行う。【選択図】      図１
2004312458.tif 000002
【特許請求の範囲】
【請求項１】
通信端末装置から送信される回線品質情報を受信する受信手段と、
受信された複数の回線品質情報に基づいて変調符号化方式を設定する設定手段と、
を有することを特徴とする基地局装置。
【請求項２】
前記設定手段は、
受信された複数の回線品質情報のうち連続的に受信された所定数の回線品質情報が同一であるか否かを判定する判定手段と、
判定の結果に従って変調符号化方式を決定する決定手段と、
を有することを特徴とする請求項１記載の基地局装置。
【請求項３】
前記設定手段は、
受信された複数の回線品質情報を蓄積する蓄積手段と、
受信された複数の回線品質情報の各々が送信された時の通信端末装置の位置を示す位置情報を取得する取得手段と、
蓄積された複数の回線品質情報を、取得された位置情報に示された位置ごとに平均化する平均化手段と、
平均化された回線品質情報に従って変調符号化方式を決定する決定手段と、
を有することを特徴とする請求項１記載の基地局装置。
【請求項４】
前記設定手段は、
受信された複数の回線品質情報のうち連続的に受信された所定数の回線品質情報が同一であるか否かを判定する判定手段と、
受信された複数の回線品質情報を蓄積する蓄積手段と、
受信された複数の回線品質情報の各々が送信された時の通信端末装置の位置を示す位置情報を取得する取得手段と、
蓄積された複数の回線品質情報を、取得された位置情報に示された位置ごとに平均化する平均化手段と、
蓄積された回線品質情報の蓄積量を所定の閾値と比較する比較手段と、
比較の結果に応じて、判定の結果および平均化された回線品質情報のいずれか一方を選択する選択手段と、
選択された前記一方に従って変調符号化方式を決定する決定手段と、
を有することを特徴とする請求項１記載の基地局装置。
【請求項５】
前記設定手段は、
受信された複数の回線品質情報のうち連続的に受信された所定数の回線品質情報が同一であるか否かを判定する判定手段と、
受信された複数の回線品質情報を蓄積する蓄積手段と、
受信された複数の回線品質情報の各々が送信された時の通信端末装置の位置を示す位置情報を取得する取得手段と、
蓄積された複数の回線品質情報を、取得された位置情報に示された位置ごとに平均化する平均化手段と、
受信された回線品質情報の受信誤り率を所定の閾値と比較する比較手段と、
比較の結果に応じて、判定の結果および平均化された回線品質情報のいずれか一方を選択する選択手段と、
選択された前記一方に従って変調符号化方式を決定する決定手段と、
を有することを特徴とする請求項１記載の基地局装置。
【請求項６】
前記設定手段は、
受信された複数の回線品質情報のうち所定の時点より後に受信された回線品質情報を前記所定の時点に受信された回線品質情報と比較する比較手段と、
比較の結果に応じて前記所定数を変更する変更手段と、
を有することを特徴とする請求項２記載の基地局装置。
【請求項７】
前記設定手段は、
受信された複数の回線品質情報のうち連続的に受信された二つの回線品質情報の変動量を所定の閾値と比較する比較手段と、
比較の結果に従って変調符号化方式を決定する決定手段と、
を有することを特徴とする請求項１記載の基地局装置。
【請求項８】
通信端末装置から送信される回線品質情報を受信する受信ステップと、
受信した複数の回線品質情報に基づいて変調符号化方式を設定する設定ステップと、
を有することを特徴とする適応変調方法。
【発明の詳細な説明】
【０００１】
【発明の属する技術分野】
本発明は、下り高速パケット伝送を行う無線通信システムに用いられる基地局装置および適応変調方法に関する。
【０００２】
【従来の技術】
近年、無線通信分野においては、例えばＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式などの高速パケット通信が注目されている。ＨＳＤＰＡ方式では、下り回線の伝搬環境に応じて最適な伝送レートでパケットを送信するために、基地局装置からのパケット送信に適応変調方式が使用される。
【０００３】
適応変調方式が用いられる無線通信システムにおいて、通信端末装置は、下り回線の品質（回線品質）を測定し、測定された回線品質を示す回線品質情報を通信相手である基地局装置に送信する。そして、基地局装置は、通信端末装置から送信された回線品質情報に応じて、変調符号化方式（ＭＣＳ：Ｍｏｄｕｌａｔｉｏｎ  ａｎｄ  Ｃｏｄｉｎｇ  Ｓｃｈｅｍｅ）を適応的に切り替えることにより、最適な伝送レートを達成する（例えば、特許文献１参照）。
【０００４】
【特許文献１】
特開２００２−４４１６８号公報
【０００５】
【発明が解決しようとする課題】
しかしながら、ＨＳＤＰＡ方式を実現する際には、通信端末装置および基地局装置の間で遅延時間が必ず生じる。この遅延時間には、一般に、（１）端末処理遅延時間、（２）伝搬遅延時間、および（３）基地局処理遅延時間が含まれる。ここで、端末処理遅延時間とは、通信端末装置が回線品質を測定してから回線品質情報を送信するまでの時間である。伝搬遅延時間とは、通信端末装置が回線品質情報を送信してから基地局装置が回線品質情報を受信するまでの時間である。基地局処理遅延時間とは、基地局装置が回線品質情報を受信してから回線品質情報に基づく変調符号化方式を用いてパケット送信を行うまでの時間である。
【０００６】
したがって、回線品質を測定する時点で回線品質が瞬時的に変動した場合は、その回線品質に対して適切な変調符号化方式を用いてパケット送信を行うことは極めて困難である。
【０００７】
その一方で、従来の基地局装置および適応変調方法においては、上記の遅延時間は考慮されていないため、回線品質の変動に対して適応変調方式の制御が過敏に反応することがある。すなわち、回線品質の変動が瞬時的である場合でも、その瞬時の回線品質を示す回線品質情報に基づいて変調符号化方式が切り替えられることがある。したがって、パケットを送信する時点の回線品質に対して適切な変調符号化方式が設定されない可能性が高くなり、ひいては無線通信システムのスループットの向上に一定の限界がある。
【０００８】
本発明は、かかる点に鑑みてなされたものであり、回線品質に対して常に適切な変調符号化方式を用いてパケットを送信することができ、無線通信システムのスループットを向上させることができる基地局装置および適応変調方法を提供することを目的とする。
【０００９】
【課題を解決するための手段】
本発明の基地局装置は、通信端末装置から送信される回線品質情報を受信する受信手段と、受信された複数の回線品質情報に基づいて変調符号化方式を設定する設定手段と、を有する構成を採る。
【００１０】
この構成によれば、通信端末装置からの複数の回線品質情報に基づいて変調符号化方式を設定するため、回線品質が瞬時的に変動した場合であってもその回線品質を示す回線品質情報のみに基づく変調符号化方式の設定を回避することができ、回線品質に対して常に適切な変調符号化方式を用いてパケットを送信することができ、無線通信システムのスループットを向上させることができる。
【００１１】
本発明の基地局装置は、上記構成において、前記設定手段は、受信された複数の回線品質情報のうち連続的に受信された所定数の回線品質情報が同一であるか否かを判定する判定手段と、判定の結果に従って変調符号化方式を決定する決定手段と、を有する構成を採る。
【００１２】
この構成によれば、上記効果に加えて、受信された複数の回線品質情報のうち連続的に受信された所定数の回線品質情報が同一であるか否かを判定して、その判定の結果に従って変調符号化方式を決定する、例えば、所定数の回線品質情報が同一である場合には変調符号化方式の決定を行い、所定数の回線品質情報が同一でない場合には変調符号化方式の決定を行わないため、所定数の回線品質情報が受信される期間より短い期間での瞬時的な回線品質変動を除外した上で変調符号化方式の設定を行うことができ、定常的な回線品質変動のみに応じた変調符号化方式の設定を行うことができる。
【００１３】
本発明の基地局装置は、上記構成において、前記設定手段は、受信された複数の回線品質情報を蓄積する蓄積手段と、受信された複数の回線品質情報の各々が送信された時の通信端末装置の位置を示す位置情報を取得する取得手段と、蓄積された複数の回線品質情報を、取得された位置情報に示された位置ごとに平均化する平均化手段と、平均化された回線品質情報に従って変調符号化方式を決定する決定手段と、を有する構成を採る。
【００１４】
この構成によれば、上記効果に加えて、受信された複数の回線品質情報の各々が送信された時の通信端末装置の位置ごとに複数の回線品質情報を平均化し、平均化された回線品質情報に従って変調符号化方式を決定する、つまり、統計的な方法で導き出された回線品質情報に従って変調符号化方式の決定を行うため、受信された回線品質情報の各々に示された瞬時の回線品質を除外した上で変調符号化方式の設定を行うことができ、通信端末装置の位置に対して統計的に最適な変調符号化方式の設定を行うことができ、伝送レートを統計的に最適なレベルに安定化させることができる。
【００１５】
本発明の基地局装置は、上記構成において、前記設定手段は、受信された複数の回線品質情報のうち連続的に受信された所定数の回線品質情報が同一であるか否かを判定する判定手段と、受信された複数の回線品質情報を蓄積する蓄積手段と、受信された複数の回線品質情報の各々が送信された時の通信端末装置の位置を示す位置情報を取得する取得手段と、蓄積された複数の回線品質情報を、取得された位置情報に示された位置ごとに平均化する平均化手段と、蓄積された回線品質情報の蓄積量を所定の閾値と比較する比較手段と、比較の結果に応じて、判定の結果および平均化された回線品質情報のいずれか一方を選択する選択手段と、選択された前記一方に従って変調符号化方式を決定する決定手段と、を有する構成を採る。
【００１６】
この構成によれば、上記効果に加えて、受信された複数の回線品質情報のうち連続的に受信された所定数の回線品質情報が同一であるか否かの判定の結果と複数の回線品質情報の各々が送信された時の通信端末装置の位置ごとに平均化された回線品質情報とのいずれか一方を、蓄積された回線品質情報の蓄積量を所定の閾値と比較した結果に応じて選択して、選択された一方に従って変調符号化方式を決定するため、例えば、蓄積量が所定の閾値以下である場合には判定の結果に従って、また、蓄積量が所定の閾値以上である場合には平均化された回線品質情報に従って、変調符号化方式の決定を行うことができ、回線品質情報の蓄積量が不十分であるときでも回線品質に対して常に適切な変調符号化方式を用いてパケットを送信することができる。
【００１７】
本発明の基地局装置は、上記構成において、前記設定手段は、受信された複数の回線品質情報のうち連続的に送信された所定数の回線品質情報が同一であるか否かを判定する判定手段と、受信された複数の回線品質情報を蓄積する蓄積手段と、受信された複数の回線品質情報の各々が送信された時の通信端末装置の位置を示す位置情報を取得する取得手段と、蓄積された複数の回線品質情報を、取得された位置情報に示された位置ごとに平均化する平均化手段と、受信された回線品質情報の受信誤り率を所定の閾値と比較する比較手段と、比較の結果に応じて、判定の結果および平均化された回線品質情報のいずれか一方を選択する選択手段と、選択された前記一方に従って変調符号化方式を決定する決定手段と、を有する構成を採る。
【００１８】
この構成によれば、上記効果に加えて、受信された複数の回線品質情報のうち連続的に受信された所定数の回線品質情報が同一であるか否かの判定の結果と複数の回線品質情報の各々が送信された時の通信端末装置の位置ごとに平均化された回線品質情報とのいずれか一方を、回線品質情報の受信誤り率を所定の閾値と比較した結果に応じて選択して、選択された一方に従って変調符号化方式を決定するため、例えば、受信誤り率が所定の閾値以下である場合には判定の結果に従って、また、受信誤り率が所定の閾値以上である場合には平均化された回線品質情報に従って、変調符号化方式の決定を行うことができ、受信した回線品質情報の信頼性が低いときでも回線品質に対して常に適切な変調符号化方式を用いてパケットを送信することができる。
【００１９】
本発明の基地局装置は、上記構成において、前記設定手段は、受信された複数の回線品質情報のうち所定の時点より後に受信された回線品質情報を前記所定の時点に受信された回線品質情報と比較する比較手段と、比較の結果に応じて前記所定数を変更する変更手段と、を有する構成を採る。
【００２０】
この構成によれば、上記効果に加えて、受信された複数の回線品質情報のうち所定の時点より後に受信された回線品質情報を所定の時点に受信された回線品質情報と比較して、その比較の結果に応じて、連続的に受信された所定数の回線品質情報が同一であるか否かの判定における所定数を変更するため、例えば、所定の時点より後の回線品質情報に示された回線品質が所定の時点より悪化しているときの所定数を、所定の時点より後の回線品質情報に示された回線品質が所定の時点より良化しているときの所定数より小さくすることができ、回線品質が良化した場合と比べて回線品質が悪化した場合の回線品質変動に対する追従を早くすることができ、いわゆるフェールセーフ制御を行うことができる。
【００２１】
本発明の基地局装置は、上記構成において、前記設定手段は、受信された複数の回線品質情報のうち連続的に受信された二つの回線品質情報の変動量を所定の閾値と比較する比較手段と、比較の結果に従って変調符号化方式を決定する決定手段と、を有する構成を採る。
【００２２】
この構成によれば、上記効果に加えて、受信された複数の回線品質情報のうち連続的に受信された二つの回線品質情報の変動量を所定の閾値と比較して、その比較の結果に従って変調符号化方式を決定するため、例えば、二つの回線品質情報の変動量が所定の閾値以上である場合には後で受信した方の回線品質情報に基づく変調符号化方式の決定を回避することができ、追従不可能と考えられる回線品質変動や信頼性が低いと考えられる回線品質情報に示された回線品質を除外した上で変調符号化方式の設定を行うことができる。
【００２３】
本発明の適応変調方法は、通信端末装置から送信される回線品質情報を受信する受信ステップと、受信した複数の回線品質情報に基づいて変調符号化方式を設定する設定ステップと、を有するようにした。
【００２４】
この方法によれば、通信端末装置からの複数の回線品質情報に基づいて変調符号化方式を設定するため、回線品質が瞬時的に変動した場合であってもその回線品質を示す回線品質情報のみに基づく変調符号化方式の設定を回避することができ、回線品質に対して常に適切な変調符号化方式を用いてパケットを送信することができ、無線通信システムのスループットを向上させることができる。
【００２５】
【発明の実施の形態】
本発明の骨子は、通信端末装置から送信される複数の回線品質情報に基づいて変調符号化方式を設定することである。
【００２６】
以下、本発明の実施の形態について、図面を参照して詳細に説明する。
【００２７】
（実施の形態１）
図１は、本発明の実施の形態１に係る基地局装置の構成を示すブロック図である。
【００２８】
図１に示す基地局装置１００は、受信アンテナ１０２、無線受信部１０４、復調部１０６、回線品質情報蓄積部１０８、判定部１１０、ＭＣＳ決定部１１２、適応変調部１１４、無線送信部１１６および送信アンテナ１１８を有する。
【００２９】
無線受信部１０４は、回線品質情報を含む無線送信信号を受信アンテナ１０２を介して受信する。また、無線送信信号に対して、ＲＦ（Ｒａｄｉｏ  Ｆｒｅｑｕｅｎｃｙ）信号からベースバンド信号へのダウンコンバートおよびアナログディジタル変換などを含む所定の無線受信処理を行う。
【００３０】
ここで、回線品質情報とは、通信端末装置から通信中の基地局装置１００に対して連続的に送信される情報（例えば、ＣＱＩ：Ｃｈａｎｎｅｌ  Ｑｕａｌｉｔｙ  Ｉｎｄｉｃａｔｏｒ）であって、下り回線の品質（回線品質）を測定した結果を示す情報である。より詳しくは、下り回線における伝送レートや通信端末装置での受信誤り率を所望の範囲内にするために基地局装置１００に対して要求する変調符号化方式（例えば、変調方式および符号化率など）に対応する情報である。なお、通信端末装置における回線品質情報の生成および送信については、後述する。
【００３１】
復調部１０６は、無線受信処理された無線送信信号を復調する。また、無線送信信号から回線品質情報を抽出する。
【００３２】
すなわち、無線受信部１０４および復調部１０６の組み合わせは、通信端末装置から送信される回線品質情報を受信する受信部としての役割を有する。
【００３３】
回線品質情報蓄積部１０８は、復調部１０６からの各回線品質情報を蓄積する。
【００３４】
判定部１１０は、予め規定数Ｎ（Ｎは２以上の整数）を記憶している。また、回線品質情報蓄積部１０８によって蓄積されている複数の回線品質情報のうち、連続的に受信された規定数Ｎの回線品質情報が同一であるか否かを判定する。
【００３５】
より具体的には、判定部１１０は、まず、ある時点に受信された回線品質情報に示された値と、ある時点より後に受信された回線品質情報に示された値とから、どちらの回線品質が良いかを判断する。例えば、示された値に対応する変調方式の多値数が大きい方の回線品質情報の受信品質が良いと判断され、誤り訂正能力が低い（符号の冗長度が小さい）符号化率と対応する値を示す方の回線品質情報の受信品質が良いと判断され、また、示された値が同じ場合にはその回線品質情報は判断の対象から除外される。そして、判定部１１０は、その判断結果がＮ回連続で同一であるか否かを判定する。
【００３６】
ＭＣＳ決定部１１２は、回線品質情報の値と出力すべき変調符号化方式との対応関係を示すテーブルを予め記憶している。また、判定部１１０による判定の結果に従って変調符号化方式を決定する。より具体的には、受信された回線品質情報がＮ回連続で同一である場合には、変調符号化方式の決定を行う。そして、回線品質情報の値と対応する変調符号化方式を出力する。一方、受信された回線品質情報が同一であることがＮ回連続しなかった場合には、変調符号化方式の決定を行わない。そして、前回出力された変調符号化方式と同じ変調符号化方式を出力する。
【００３７】
すなわち、回線品質情報蓄積部１０８、判定部１１０およびＭＣＳ決定部１１２の組み合わせは、受信された複数の回線品質情報に基づいて変調符号化方式を設定する設定部としての役割を有する。例えば、判定部１１０による判定の結果、回線品質情報がＮ回連続で同一である場合には変調符号化方式の決定が行われるので、変調符号化方式の設定が変更される。一方、判定部１１０による判定の結果、回線品質情報が同一であることがＮ回連続しない場合には変調符号化方式の決定が行われないので、変調符号化方式の設定が変更されない。
【００３８】
なお、上記のテーブルと同一内容を有するテーブルは、通信端末装置にも予め記憶されている。
【００３９】
適応変調部１１４は、設定された変調符号化方式を用いて、通信端末装置へ送信すべき送信データに対して誤り訂正符号化および変調などを含む所定の適応変調処理を行う。
【００４０】
無線送信部１１６は、適応変調処理された送信データ（パケット）およびパイロット（ＰＬ）信号などに対してディジタルアナログ変換およびベースバンド信号からＲＦ信号へのアップコンバードなどを含む所定の無線送信処理を行う。また、無線送信処理された信号（無線送信信号）を送信アンテナ１１８を介して送信する。
【００４１】
次いで、基地局装置１００と通信を行う通信端末装置について説明する。図２は、基地局装置１００と通信を行う通信端末装置の構成を示すブロック図である。
【００４２】
図２に示す通信端末装置１５０は、受信アンテナ１５２と、受信アンテナ１５２を介して受信した基地局装置１００からの無線送信信号に対して所定の無線受信処理を行う無線受信部１５４と、基地局装置１００において決定された変調符号化方式を用いて無線送信信号における送信データに対して所定の適応復調処理を行う適応復調部１５６と、無線送信信号におけるパイロット信号を復調するＰＬ信号復調部１５８と、パイロット信号の復調結果を用いて回線品質（例えば、ＢＥＲ：Ｂｉｔ  Ｅｒｒｏｒ  Ｒａｔｅ）を測定する回線品質測定部１６０と、測定された回線品質に基づいて回線品質情報を生成する回線品質情報生成部１６２と、回線品質情報を変調する変調部１６４と、変調された回線品質情報に対して所定の無線送信処理を行う無線送信部１６６と、送信アンテナ１６８とを有する。
【００４３】
次いで、上記構成を有する基地局装置１００および通信端末装置１５０の動作について説明する。図３は、基地局装置１００および通信端末装置１５０の動作を説明するための図である。
【００４４】
まず、通信端末装置１５０は、ＰＬ信号復調部１５８で、パイロット信号を復調する。
【００４５】
そして、回線品質測定部１６０で、パイロット信号の復調結果を用いて回線品質を測定する。
【００４６】
そして、回線品質情報生成部１６２で、回線品質測定部１６０で測定した回線品質に基づいて回線品質情報を生成する。より具体的には、上記の回線品質を用いて、通信端末装置１５０の適応復調部１５６での誤り率（受信誤り率）や下り回線の伝送レートを所望の範囲内にするために基地局装置１００に対して要求する変調符号化方式を選択する。そして、変調符号化方式と回線品質情報として送信すべき値との対応関係を示すテーブルを参照して、選択された変調符号化方式に対応する値を回線品質情報として選択する。
【００４７】
そして、変調部１６４で、回線品質情報に対して所定の変調処理を行う。
【００４８】
そして、無線送信部１６６で、変調部１６４で変調処理した回線品質情報に対して所定の無線送信処理を行い、無線送信処理した回線品質情報を送信アンテナ１６８を介して送信する。
【００４９】
そして、基地局装置１００は、無線受信部１０４で、通信端末装置１５０から送信された回線品質情報を含む無線送信信号を受信アンテナ１０２を介して受信する。そして、無線送信信号に対して所定の無線受信処理を行う。
【００５０】
そして、復調部１０６で、無線受信部１０４で無線受信処理した無線送信信号に対して所定の復調処理を行う。また、復調処理した無線送信信号から回線品質情報を抽出する。
【００５１】
そして、回線品質情報蓄積部１０８で、復調部１０６で抽出した回線品質情報（今回の回線品質情報）を蓄積する。
【００５２】
そして、判定部１１０で、回線品質情報蓄積部１０８で蓄積した複数の回線品質情報のうち、受信された回線品質情報がＮ回連続で同一であるか否かを判定する。そして、これらＮ個の回線品質情報が同一である場合に、Ｎ個の回線品質情報のうちの一つを今回の判定結果として出力する。Ｎ個の回線品質情報のうち出力される回線品質情報は、例えば、Ｎ個の回線品質情報のうち一番回線品質が悪いものであり、または、Ｎ個の回線品質情報の平均値に対応する回線品質情報である。一方、これらＮ個の回線品質情報が同一でない場合に、前回出力した判定結果を今回の判定結果として出力する。すなわち、回線品質情報が連続して同一でない場合は、その回線品質情報に示された回線品質を瞬時的なものとみなして、ＭＣＳ決定部１１２での処理において使用する対象から除外する。
【００５３】
そして、ＭＣＳ決定部１１２で、判定部１１０から出力した判定結果に従って変調符号化方式を決定する。より具体的には、回線品質情報に示された値と出力すべき変調符号化方式との対応関係を示すテーブルを参照して、判定部１１０から判定結果として出力した回線品質情報の値に対応する変調符号化方式を出力する。このように、判定部１１０およびＭＣＳ決定部１１２での上述の処理によって、変調符号化方式の設定を行う。
【００５４】
そして、適応変調部１１４で、設定した変調符号化方式を用いて、通信端末装置１５０へ送信すべき送信データに対して所定の適応変調処理を行う。
【００５５】
そして、無線送信部１１６で、適応変調部１１４で適応変調処理した送信データ（パケット）およびパイロット信号などに対して所定の無線送信処理を行う。そして、無線送信処理した信号（無線送信信号）を送信アンテナ１１８を介して送信する。
【００５６】
そして、基地局装置１００から送信された無線送信信号は、通信端末装置１５０によって受信される。以上の動作が、基地局装置１００および通信端末装置１５０の間での通信が継続する限り繰り返される。
【００５７】
このように、本実施の形態によれば、通信端末装置からの複数の回線品質情報のうち連続的に受信された規定数Ｎ個の回線品質情報が同一であるか否かを判定して、その判定結果に従って変調符号化方式を決定する。例えば、Ｎ個の回線品質情報が同一である場合には変調符号化方式の決定を行い、Ｎ個の回線品質情報が同一でない場合には変調符号化方式の決定を行わない。したがって、Ｎ個の回線品質情報が受信される期間より短い期間での瞬時的な回線品質変動を除外した上で変調符号化方式の設定を行うことができ、定常的な回線品質変動のみに応じた変調符号化方式の設定を行うことができる。
【００５８】
（実施の形態２）
図４は、本発明の実施の形態２に係る基地局装置の構成を示すブロック図である。なお、実施の形態２に係る基地局装置は、実施の形態１において説明した基地局装置１００と同様の基本的構成を有しており、同一の構成要素には同一の参照番号を付し、その説明を省略する。
【００５９】
本実施の形態の特徴は、基地局装置が通信端末装置からの複数の回線品質情報を、各回線品質情報が送信された時の通信端末装置の位置ごとに平均化し、平均化された回線品質情報に従って変調符号化方式を決定することである。
【００６０】
図４に示す基地局装置２００は、図１に示す基地局装置１００に対して、判定部１１０およびＭＣＳ決定部１１２を削除し、情報取得部２０２、回線品質情報平均化部２０４、回線品質情報検索部２０６およびＭＣＳ決定部２０８を設けた構成となっている。
【００６１】
情報取得部２０２は、基地局装置２００に対して通信端末装置が回線品質情報を送信した時の通信端末装置の位置を示す位置情報を取得する。また、基地局装置２００に対して通信端末装置が回線品質情報を送信した時の時刻および日付を示す日時情報を取得する。また、日時情報に示された日付に基づいて、基地局装置２００に対して通信端末装置が回線品質情報を送信した時の曜日を示す曜日情報を取得しても良い。
【００６２】
回線品質情報平均化部２０４は、回線品質情報蓄積部１０８によって蓄積されている複数の回線品質情報を、情報取得部２０２によって取得された位置情報に示された位置ごとに平均化する。また、位置ごとに平均化された回線品質情報を記憶する。
【００６３】
なお、回線品質情報平均化部２０４は、回線品質情報蓄積部１０８によって蓄積されている複数の回線品質情報を、情報取得部２０２によって取得された位置情報に示された位置と日時情報に示された時刻との組み合わせごとに平均化しても良い。この場合、位置および時刻の組み合わせごとに平均化された回線品質情報を記憶する。
【００６４】
さらに、回線品質情報平均化部２０４は、回線品質情報蓄積部１０８によって蓄積されている複数の回線品質情報を、情報取得部２０２によって取得された位置情報に示された位置と日時情報に示された日付との組み合わせごとに平均化しても良い。この場合、位置および日付の組み合わせごとに平均化された回線品質情報を記憶する。
【００６５】
さらに、曜日情報が情報取得部２０２によって取得される場合、回線品質情報平均化部２０４は、回線品質情報蓄積部１０８によって蓄積されている複数の回線品質情報を、位置情報に示された位置と曜日情報に示された曜日との組み合わせごとに平均化しても良い。この場合、位置および曜日の組み合わせごとに平均化された回線品質情報を記憶する。
【００６６】
さらに、回線品質情報平均化部２０４は、上記の平均化の動作を組み合わせた動作を実行しても良い。すなわち、回線品質情報平均化部２０４は、回線品質情報蓄積部１０８によって蓄積されている複数の回線品質情報を、少なくとも位置ごとに平均化する動作を実行する。
【００６７】
回線品質情報検索部２０６は、情報取得部２０２からの位置情報に基づいて、基地局装置２００に対して通信端末装置が送信した今回の回線品質情報を送信した時の位置に対応する回線品質情報を、回線品質情報平均化部２０４によって位置ごとに平均化された回線品質情報から検索する。
【００６８】
なお、情報取得部２０２が位置情報の他に日時情報を取得する場合には、回線品質情報検索部２０６は、基地局装置２００に対して通信端末装置が送信した今回の回線品質情報を送信した時の位置および日付の組み合わせに対応する回線品質情報を、回線品質情報平均化部２０４によって位置および日付の組み合わせごとに平均化された回線品質情報から検索しても良い。
【００６９】
また、情報取得部２０２が位置情報の他に日時情報を取得する場合には、回線品質情報検索部２０６は、基地局装置２００に対して通信端末装置が送信した今回の回線品質情報を送信した時の位置および時刻の組み合わせに対応する回線品質情報を、回線品質情報平均化部２０４によって位置および時刻の組み合わせごとに平均化された回線品質情報から検索しても良い。
【００７０】
また、情報取得部２０２が位置情報の他に曜日情報を取得する場合には、回線品質情報検索部２０６は、基地局装置２００に対して通信端末装置が送信した今回の回線品質情報を送信した時の位置および曜日の組み合わせに対応する回線品質情報を、回線品質情報平均化部２０４によって位置および曜日の組み合わせごとに平均化された回線品質情報から検索しても良い。
【００７１】
ＭＣＳ決定部２０８は、回線品質情報の値と出力すべき変調符号化方式との対応関係を示すテーブルを予め記憶している。また、回線品質情報検索部２０６によって検索された回線品質情報を参照して、出力すべき変調符号化方式を決定する。つまり、回線品質情報の値に対応する変調符号化方式を出力する。
【００７２】
すなわち、回線品質情報蓄積部１０８、情報取得部２０２、回線品質情報平均化部２０４、回線品質情報検索部２０６およびＭＣＳ決定部２０８の組み合わせは、受信された複数の回線品質情報に基づいて変調符号化方式を設定する設定部としての役割を有する。
【００７３】
次いで、上記構成を有する基地局装置２００が実施の形態１において説明した通信端末装置１５０と通信を行う場合の動作について説明する。図５は、基地局装置２００および通信端末装置１５０の動作を説明するための図である。なお、通信端末装置１５０における動作は、実施の形態１において説明したものと同一である。したがって、その説明を省略する。
【００７４】
基地局装置２００は、無線受信部１０４で、通信端末装置１５０から送信された回線品質情報を含む無線送信信号を受信アンテナ１０２を介して受信する。そして、無線送信信号に対して所定の無線受信処理を行う。
【００７５】
そして、復調部１０６で、無線受信部１０４で無線受信処理した無線送信信号に対して所定の復調処理を行う。また、復調処理した無線送信信号から回線品質情報を抽出する。
【００７６】
そして、回線品質情報蓄積部１０８で、復調部１０６で抽出した回線品質情報（今回の回線品質情報）を蓄積する。
【００７７】
そして、情報取得部２０２で、位置情報および日時情報を取得する。なお、情報取得部２０２での位置情報および日時情報の取得を、対応する回線品質情報の受信と同時に行っても良い。
【００７８】
そして、回線品質情報平均化部２０４で、回線品質情報蓄積部１０８で蓄積した複数の回線品質情報を、少なくとも位置情報に示された位置ごとに平均化する。
【００７９】
ここで、回線品質情報平均化部２０４で複数の回線品質情報を少なくとも位置ごとに平均化する動作の一例について説明する。図６は、平均化される回線品質情報について説明するための図である。ここでは、基地局装置２００が市街地と海岸と駅または線路との中間の場所に設置されていることを前提として説明する。
【００８０】
市街地は建物が密集しており、終日伝搬環境が悪いエリアである。そのため、市街地に位置している通信端末装置１５０ａが基地局装置２００に対して送信する回線品質情報は、比較的回線品質が低いことを示すことが多い。したがって、平均化によって得られる回線品質情報は、低い回線品質を示す値を有する。
【００８１】
また、海岸には無線送信信号に対する遮蔽物がほとんど存在せず、海岸は終日伝搬環境が良いエリアである。そのため、海岸に位置している通信端末装置１５０ｂが基地局装置２００に対して送信する回線品質情報は、比較的回線品質が高いことを示すことが多い。したがって、平均化によって得られる回線品質情報は、高い回線品質を示す値を有する。
【００８２】
また、駅または線路の近くは、伝搬環境が経時的に変動するエリアである。そのため、駅または線路の近くに位置している通信端末装置１５０ｃが基地局装置２００に対して送信する回線品質情報が比較的回線品質が高いこと示すことおよび比較的低いことを示すことが、送信の時刻に依って変動する。より具体的には、ラッシュアワーの時間帯においては、平均化によって得られる回線品質情報は、低い回線品質を示す値を有する。一方、ラッシュアワーの時間帯以外においては、平均化によって得られる回線品質情報は、高い回線品質を示す値を有する。
【００８３】
そして、回線品質情報検索部２０６で、通信端末装置１５０が今回の回線品質情報を送信した時の少なくとも位置に対応する回線品質情報を、回線品質情報平均化部２０４によって位置ごとに平均化された回線品質情報から検索する。
【００８４】
そして、ＭＣＳ決定部２０８で、回線品質情報検索部２０６で検索した回線品質情報を参照して、出力すべき変調符号化方式を決定する。このように、情報取得部２０２、回線品質情報平均化部２０４、回線品質情報検索部２０６およびＭＣＳ決定部２０８での上述の処理によって、変調符号化方式の設定を行う。
【００８５】
そして、適応変調部１１４で、設定した変調符号化方式を用いて、通信端末装置１５０へ送信すべき送信データに対して所定の適応変調処理を行う。
【００８６】
そして、無線送信部１１６で、適応変調部１１４で適応変調処理した送信データ（パケット）およびパイロット信号などに対して所定の無線送信処理を行う。そして、無線送信処理した信号（無線送信信号）を送信アンテナ１１８を介して送信する。
【００８７】
そして、基地局装置２００から送信された無線送信信号は、通信端末装置１５０によって受信される。以上の動作が、基地局装置２００および通信端末装置１５０の間での通信が継続する限り繰り返される。
【００８８】
このように、本実施の形態によれば、受信された複数の回線品質情報の各々が送信された時の通信端末装置の位置ごとに複数の回線品質情報を平均化し、平均化された回線品質情報に従って変調符号化方式を決定する。つまり、統計的な方法で導き出された回線品質情報に従って変調符号化方式の決定を行う。したがって、受信された回線品質情報の各々に示された瞬時の回線品質を除外した上で変調符号化方式の設定を行うことができ、通信端末装置の位置に対して統計的に最適な変調符号化方式の設定を行うことができ、伝送レートを統計的に最適なレベルに安定化させることができる。
【００８９】
（実施の形態３）
図７は、本発明の実施の形態３に係る基地局装置の構成を示すブロック図である。なお、実施の形態３に係る基地局装置は実施の形態１において説明した基地局装置１００と同様の基本的構成を有しており、同一の構成要素には同一の参照番号を付し、その説明を省略する。
【００９０】
本実施の形態の特徴は、基地局装置が通信端末装置からの複数の回線品質情報のうち連続的に受信された所定数の回線品質情報が同一であるか否かの判定結果と各回線品質情報が送信された時の通信端末装置の位置ごとに平均化された回線品質情報とのいずれか一方を、回線品質情報の蓄積量を所定の閾値と比較した結果に応じて選択し、選択された一方に従って変調符号化方式を決定することである。
【００９１】
図７に示す基地局装置３００は、図１に示す基地局装置１００に対して、図４（実施の形態２）に示す基地局装置２００の情報取得部２０２、回線品質情報平均化部２０４および回線品質情報検索部２０６を設け、蓄積量比較部３０２および選択部３０４を追加し、さらに、ＭＣＳ決定部１１２の代わりにＭＣＳ決定部３０６を設けた構成となっている。
【００９２】
蓄積量比較部３０２は、回線品質情報蓄積部１０８によって蓄積されている回線品質情報の蓄積量を検出する。そして、その蓄積量を予め記憶されている所定の閾値と比較する。そして、その比較の結果を出力する。
【００９３】
選択部３０４は、蓄積量比較部３０２による比較の結果に応じて、判定部１１０による判定結果および回線品質情報平均化部２０４によって平均化された回線品質情報のうち回線品質情報検索部２０６によって検索された回線品質情報のいずれか一方を選択する。
【００９４】
より具体的には、蓄積量が閾値未満である場合には、判定結果を選択する。一方、蓄積量が閾値以上である場合には、平均化された回線品質情報のうち検索された回線品質情報を選択する。
【００９５】
ＭＣＳ決定部３０６は、回線品質情報の値と出力すべき変調符号化方式との対応関係を示すテーブルを予め記憶している。また、判定部１１０から判定結果として出力された回線品質情報および回線品質情報検索部２０６によって検索された回線品質情報のうち選択部３０４によって選択された一方を参照して、出力すべき変調符号化方式を決定する。つまり、回線品質情報の値に対応する変調符号化方式を出力する。
【００９６】
すなわち、回線品質情報蓄積部１０８、判定部１１０、情報取得部２０２、回線品質情報平均化部２０４、回線品質情報検索部２０６、蓄積量比較部３０２、選択部３０４およびＭＣＳ決定部３０６の組み合わせは、受信された複数の回線品質情報に基づいて変調符号化方式を設定する設定部としての役割を有する。
【００９７】
このように、本実施の形態によれば、受信された複数の回線品質の回線品質情報のうち連続的に受信された規定数Ｎ個の回線品質情報が同一であるか否かの判定の結果と複数の回線品質情報の各々が送信された時の通信端末装置の位置ごとに平均化された回線品質情報とのいずれか一方を、回線品質情報の蓄積量を閾値と比較した結果に応じて選択して、選択された一方に従って変調符号化方式を決定する。したがって、蓄積量が閾値未満である場合には判定の結果に従って、また、蓄積量が閾値以上である場合には平均化された回線品質情報に従って、変調符号化方式の決定を行うことができ、回線品質情報の蓄積量が不十分であるときでも回線品質に対して常に適切な変調符号化方式を用いてパケットを送信することができ、無線通信システムのスループットを向上させることができる。
【００９８】
（実施の形態４）
図８は、本発明の実施の形態４に係る基地局装置の構成を示すブロック図である。なお、実施の形態４に係る基地局装置は実施の形態１において説明した基地局装置１００と同様の基本的構成を有しており、同一の構成要素には同一の参照番号を付し、その説明を省略する。
【００９９】
本実施の形態の特徴は、基地局装置が通信端末装置からの複数の回線品質情報のうち連続的に受信された所定数の回線品質情報が同一であるか否かの判定結果と各回線品質情報が送信された時の通信端末装置の位置ごとに平均化された回線品質情報とのいずれか一方を、回線品質情報の受信誤り率を所定の閾値と比較した結果に応じて選択し、選択された一方に従って変調符号化方式を決定することである。
【０１００】
図８に示す基地局装置４００は、図１に示す基地局装置１００に対して、図４（実施の形態２）に示す基地局装置２００の情報取得部２０２、回線品質情報平均化部２０４および回線品質情報検索部２０６を設け、誤り率比較部４０２および選択部４０４を追加し、さらに、ＭＣＳ決定部１１２の代わりに図７（実施の形態３）に示す基地局装置３００のＭＣＳ決定部３０６を設けた構成となっている。
【０１０１】
誤り率比較部４０２は、復調部１０６によって復調された回線品質情報の受信誤り率（例えば、ＢＥＲ）を検出する。そして、検出された受信誤り率を予め記憶されている所定の閾値と比較する。そして、その比較の結果を出力する。
【０１０２】
選択部４０４は、誤り率比較部４０２による比較の結果に応じて、判定部１１０による判定結果および回線品質情報平均化部２０４によって平均化された回線品質情報のうち回線品質情報検索部２０６によって検索された回線品質情報のいずれか一方を選択する。
【０１０３】
より具体的には、受信誤り率が閾値以上である場合には、平均化された回線品質情報のうち検索された回線品質情報を選択する。一方、受信誤り率が閾値未満である場合には、判定結果を選択する。
【０１０４】
回線品質情報蓄積部１０８、判定部１１０、情報取得部２０２、回線品質情報平均化部２０４、回線品質情報検索部２０６、誤り率比較部４０２、選択部４０４およびＭＣＳ決定部３０６の組み合わせは、受信された複数の回線品質情報に基づいて変調符号化方式を設定する設定部としての役割を有する。
【０１０５】
このように、本実施の形態によれば、受信された複数の回線品質の回線品質情報のうち連続的に受信された規定数Ｎ個の回線品質情報が同一であるか否かの判定の結果と複数の回線品質情報の各々を送信した通信端末装置の位置ごとに平均化された回線品質情報とのいずれか一方を、回線品質情報の受信誤り率を閾値と比較した結果に応じて選択して、選択された一方に従って変調符号化方式を決定する。したがって、受信誤り率が閾値未満である場合には判定結果に従って、また、受信誤り率が閾値以上である場合には平均化された回線品質情報に従って、変調符号化方式の決定を行うことができ、受信した回線品質情報の信頼性が低いときでも回線品質に対して常に適切な変調符号化方式を用いてパケットを送信することができ、無線通信システムのスループットを向上させることができる。
【０１０６】
（実施の形態５）
図９は、本発明の実施の形態５に係る基地局装置の構成を示すブロック図である。なお、実施の形態５に係る基地局装置は実施の形態１において説明した基地局装置１００と同様の基本的構成を有しており、同一の構成要素には同一の参照番号を付し、その説明を省略する。
【０１０７】
本実施の形態の特徴は、基地局装置が通信端末装置からの複数の回線品質情報のうち所定の時点より後に受信された回線品質情報を当該所定の時点に受信された回線品質情報と比較し、その比較の結果に応じて、連続的に受信された所定数の回線品質情報が同一であるか否かの判定における所定数を変更することである。
【０１０８】
図９に示す基地局装置５００は、図１に示す基地局装置１００に対して、判定部１１０の代わりに判定部５０２を設け、さらに回線品質情報比較部５０４および規定数変更部５０６を追加した構成となっている。
【０１０９】
判定部５０２は、予め規定数Ｎａ（Ｎａは２以上の整数）および規定数Ｎｂ（Ｎｂは３以上の整数、Ｎｂ＞Ｎａ）を予め記憶している。また、回線品質情報蓄積部１０８によって蓄積されている複数の回線品質情報のうち、通信端末装置から連続的に送信された規定数Ｎａまたは規定数Ｎｂの回線品質情報が同一であるか否かを判定する。
【０１１０】
より具体的には、判定部５０２は、まず、ある時点に受信された回線品質情報に示された値と、ある時点より後に受信された回線品質情報に示された値とから、どちらの回線品質が良いかを判断する。例えば、示された値に対応する変調方式の多値数が大きい方の回線品質情報の受信品質が良いと判断され、誤り訂正能力が低い（符号の冗長度が小さい）符号化率と対応する値を示す方の回線品質情報の受信品質が良いと判断され、また、示された値が同じ場合にはその回線品質情報は判断の対象から除外される。そして、判定部５０２は、その判断結果がＮａ回またはＮｂ回連続で同一であるか否かを判定する。
【０１１１】
また、規定数変更部５０６からの指示に従って、判定の際に使用する規定数Ｎａおよび規定数Ｎｂの切り替えを行う。
【０１１２】
回線品質情報比較部５０４は、所定の時点より後に送信された回線品質情報を当該所定の時点に送信された回線品質情報と比較する。そして、その結果を出力する。
【０１１３】
規定数変更部５０６は、回線品質情報比較部５０４による比較の結果に応じて、判定部５０２において使用される規定数Ｎａおよび規定数Ｎｂを変更する。より具体的には、所定の時点より後に送信された回線品質情報に示された回線品質が当該所定の時点に送信された回線品質情報に示された回線品質より良化していることを比較結果が示している場合には、判定部５０２に規定数Ｎｂを使用させる指示を出力する。一方、所定の時点より後に送信された回線品質情報に示された回線品質が当該所定の時点に送信された回線品質情報に示された回線品質より悪化していることを比較結果が示している場合には、判定部５０２に規定数Ｎａを使用させる指示を出力する。
【０１１４】
回線品質情報蓄積部１０８、判定部５０２、回線品質情報比較部５０４、規定数変更部５０６およびＭＣＳ決定部１１２の組み合わせは、受信された複数の回線品質情報に基づいて変調符号化方式を設定する設定部としての役割を有する。
【０１１５】
このように、本実施の形態によれば、受信された複数の回線品質情報のうち所定の時点より後に受信された回線品質情報を当該所定の時点に受信された回線品質情報と比較して、その比較結果に応じて、規定数Ｎａおよび規定数Ｎｂの変更を行う。例えば、所定の時点より後の回線品質情報に示された回線品質が当該所定の時点より良化しているときには規定数Ｎｂを用いて、また、所定の時点より後の回線品質情報に示された回線品質が当該所定の時点より悪化しているときには規定数Ｎｂより小さい規定数Ｎａを用いることができる。したがって、回線品質が良化した場合と比べて回線品質が悪化した場合の回線品質変動に対する追従を早くすることができ、いわゆるフェールセーフ制御を行うことができる。
【０１１６】
（実施の形態６）
図１０は、本発明の実施の形態６に係る基地局装置の構成を示すブロック図である。なお、実施の形態６に係る基地局装置は実施の形態１において説明した基地局装置１００と同様の基本的構成を有しており、同一の構成要素には同一の参照番号を付し、その説明を省略する。
【０１１７】
本実施の形態の特徴は、基地局装置が通信端末装置からの複数の回線品質情報のうち連続的に受信された二つの回線品質情報の変動量を所定の閾値と比較し、その比較結果に従って変調符号化方式を決定することである。
【０１１８】
図１０に示す基地局装置６００は、図１に示す基地局装置１００に対して、判定部１１０を削除し、変動量比較部６０２を追加し、さらに、ＭＣＳ決定部１１２の代わりにＭＣＳ決定部６０４を設けた構成となっている。
【０１１９】
変動量比較部６０２は、回線品質情報蓄積部１０８によって蓄積されている回線品質情報のうち、通信端末装置から受信した前回の回線品質情報および今回の回線品質情報の差、すなわち変動量を、予め記憶されている所定の閾値と比較する。そして、その比較の結果を出力する。
【０１２０】
ＭＣＳ決定部６０４は、回線品質情報の値と出力すべき変調符号化方式との対応関係を示すテーブルを予め記憶している。また、変動量比較部６０２による比較の結果に従って、変調符号化方式を決定する。より具体的には、変動量が閾値以上である場合には、今回の回線品質情報に基づく変調符号化方式の決定を行わない。そして、前回出力された変調符号化方式と同じ変調符号化方式を出力する。一方、変動量が閾値未満である場合には、今回の回線品質情報に基づく変調符号化方式の決定を行う。そして、今回の回線品質情報の値と対応する変調符号化方式を出力する。
【０１２１】
回線品質情報蓄積部１０８、変動量比較部６０２およびＭＣＳ決定部６０４の組み合わせは、受信された複数の回線品質情報に基づいて変調符号化方式を設定する設定部としての役割を有する。
【０１２２】
このように、本実施の形態によれば、実施の形態１における効果に加えて、受信された複数の回線品質情報のうち通信端末装置から連続的に受信された前回と今回の回線品質情報の変動量を閾値と比較して、その比較結果に従って変調符号化方式を決定するため、変動量が閾値以上である場合には今回の回線品質情報に基づく変調符号化方式の決定を回避することができ、追従不可能と考えられる回線品質変動や信頼性が低いと考えられる回線品質情報に示された回線品質を除外した上で変調符号化方式の設定を行うことができる。
【０１２３】
【発明の効果】
以上説明したように、本発明によれば、回線品質に対して常に適切な変調符号化方式を用いてパケットを送信することができ、無線通信システムのスループットを向上させることができる。
【図面の簡単な説明】
【図１】本発明の実施の形態１に係る基地局装置の構成を示すブロック図
【図２】本発明の実施の形態１に係る基地局装置と通信を行う通信端末装置の構成の一例を示すブロック図
【図３】本発明の実施の形態１に係る基地局装置および通信端末装置の動作を説明するための図
【図４】本発明の実施の形態２に係る基地局装置の構成を示すブロック図
【図５】本発明の実施の形態２に係る基地局装置および通信端末装置の動作を説明するための図
【図６】本発明の実施の形態２に係る基地局装置において平均化される回線品質情報について説明するための図
【図７】本発明の実施の形態３に係る基地局装置の構成を示すブロック図
【図８】本発明の実施の形態４に係る基地局装置の構成を示すブロック図
【図９】本発明の実施の形態５に係る基地局装置の構成を示すブロック図
【図１０】本発明の実施の形態６に係る基地局装置の構成を示すブロック図
【符号の説明】
１００、２００、３００、４００、５００、６００  基地局装置
１０２  受信アンテナ
１０４  無線受信部
１０６  復調部
１０８  回線品質情報蓄積部
１１０、５０２  判定部
１１２、２０８、３０６、６０４  ＭＣＳ決定部
１１４  適応変調部
１１６  無線送信部
１１８  送信アンテナ
２０２  情報取得部
２０４  回線品質情報平均化部
２０６  回線品質情報検索部
３０２  蓄積量比較部
３０４、４０４  選択部
４０２  誤り率比較部
５０４  回線品質情報比較部
５０６  規定数変更部
６０２  変動量比較部
【図１】
2004312458.tif 000003
【図２】
2004312458.tif 000004
【図３】
2004312458.tif 000005
【図４】
2004312458.tif 000006
【図５】
2004312458.tif 000007
【図６】
2004312458.tif 000008
【図７】
2004312458.tif 000009
【図８】
2004312458.tif 000010
【図９】
2004312458.tif 000011
【図１０】
2004312458.tif 000012